【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
基準電流に応じた電流を回路網に供給する電流源回路であって、
第１のモードにおいて、基準電流源と電気的に結合されて前記基準電流を流入または流出し、前記第１のモードの後に実行される第２のモードにおいて、前記基準電流源と電気的に分離されるとともに、前記回路網と電気的に結合されるノードと、
前記ノードと第２の電圧源との間に接続され、前記第１のモードにおいて、前記ノードに流入または流出される前記基準電流が通過するとともに、前記第２のモードにおいて、通過した前記基準電流に応じた電流を前記回路網に駆動する電流駆動部とを備え、
前記電流駆動部は、
前記ノードと前記第２の電圧源との間に直列に接続され、前記第１のモードにおいて、前記基準電流が通過する第１および第２のトランジスタと、
前記第１のモードにおいて、前記第１および第２のトランジスタのゲート電極に前記基準電流によって決定される電圧をそれぞれ保持するように接続される第１および第２の容量素子とを含む、電流源回路。
【請求項２】
前記電流駆動部は、前記第１および第２のトランジスタのゲート電極と第１の電極との間にそれぞれ配され、前記第１のモードにおいてオンする一方で、前記第２のモードにおいてオフする第１および第２のスイッチ素子をさらに含む、請求項１に記載の電流源回路。
【請求項３】
前記第１のモードにおいて、前記ノードと前記基準電流源とを選択的に結合し、前記第２のモードにおいて、前記ノードと前記回路網とを選択的に結合する第３のスイッチ素子をさらに備える、請求項２に記載の電流源回路。
【請求項４】
前記第１のトランジスタは、前記第１の電極が前記ノードに接続され、第２の電極が前記第２のトランジスタの前記第１の電極に接続され、
前記第２のトランジスタは、前記第２の電極が第１の電圧源に接続され、
前記第１および第２のスイッチ素子は、前記第１のモードにおいて、前記第１のスイッチ素子が、前記第２のスイッチ素子よりも少なくとも先にオフするように設定される、請求項２または３に記載の電流源回路。
【請求項５】
ｍ（ｍは自然数）ビットからなるデジタル信号に対応する電流を回路網に供給するデジタルアナログ変換回路であって、
第１のモードにおいて、前記デジタル信号に応じて、各々がｎ（ｎは２以上の自然数）進数で重み付けられた基準電流を供給するｍ個の定電流源と選択的に結合されて所望の電流を流入または流出し、前記第１のモードの後に実行される第２のモードにおいて、前記選択的に結合された定電流源と電気的に分離されるとともに、前記回路網と電気的に結合されるｍ個のノードと、
前記ｍ個の定電流源と前記ｍ個のノードとの間にそれぞれ配され、前記ｍビットからなるデジタル信号の各ビットに応じて、対応するノードと前記定電流源および前記回路網のいずれか一方とを電気的に結合するｍ個のスイッチ素子と、
各前記ｍ個のノードと第２の電圧源との間にそれぞれ接続され、前記第１のモードにおいて、前記対応するノードを流入または流出する前記基準電流が通過するとともに、前記第２のモードにおいて、通過した前記基準電流に応じた電流を前記回路網に駆動するｍ個の電流駆動部とを備え、
各前記ｍ個の電流駆動部は、
前記ノードと前記第２の電圧源との間に直列に接続され、前記第１のモードにおいて、前記基準電流が通過する第１および第２のトランジスタと、
前記第１のモードにおいて、前記第１および第２のトランジスタのゲート電極に前記基準電流によって決定される電圧をそれぞれ保持するように接続される第１および第２の容量素子とを含む、デジタルアナログ変換回路。
【請求項６】
各前記ｍ個の電流駆動部は、前記第１および第２のトランジスタのゲート電極と第１の電極との間にそれぞれ配され、前記第１のモードにおいてオンする一方で、前記第２のモードにおいてオフする第１および第２のスイッチ素子をさらに含む、請求項５に記載のデジタルアナログ変換回路。
【請求項７】
前記第１のトランジスタは、前記第１の電極が前記ノードに接続され、第２の電極が前記第２のトランジスタの前記第１の電極に接続され、
前記第２のトランジスタは、前記第２の電極が前記第２の電圧源と相補の電位を有する第１の電圧源に接続され、
前記第１および第２のスイッチ素子は、前記第１のモードにおいて、前記第１のスイッチ素子が、前記第２のスイッチ素子よりも少なくとも先にオフするように設定される、請求項６に記載のデジタルアナログ変換回路。
【請求項８】
行列状に配列され、各々が電流駆動型発光素子を備える複数の画素回路と、
前記複数の画素回路の行にそれぞれ対応して配置され、一定周期で順に選択される複数の走査線と、
前記複数の画素回路の列に対応して配置される複数のデータ線と、
各前記複数のデータ線に対応して配置され、前記複数の画素回路のうちの走査対象の画素回路での表示輝度を指示するｋ（ｋは自然数）ビットの表示信号に対応して設定される表示電流を各前記複数のデータ線に供給する電流源回路とを備え、
前記電流源回路は、
第１のモードにおいて、前記表示信号に応じて、各々がｎ進数で重み付けられた基準電流を供給するｋ個（ｋは自然数）の定電流源と選択的に結合されて所望の電流を流入または流出し、前記第１のモードの後に実行される第２のモードにおいて、前記選択的に結合された定電流源と電気的に分離されるとともに、前記回路網と電気的に結合されるｋ個のノードと、
前記ｋ個の定電流源と前記ｋ個のノードとの間にそれぞれ配され、前記ｋビットの表示信号の各ビットに応じて、対応するノードと前記定電流源および前記回路網のいずれか一方とを電気的に結合するｋ個のスイッチ素子と、
各前記ｋ個のノードと第２の電圧源との間に接続され、前記第１のモードにおいて、前記対応するノードを流入または流出する前記基準電流が通過するとともに、前記第２のモードにおいて、通過した前記基準電流に応じた電流を前記回路網に駆動するｋ個の電流駆動部とを含み、
各前記ｋ個の電流駆動部は、
前記ノードと前記第２の電圧源との間に直列に接続され、前記第１のモードにおいて、前記基準電流が通過する第１および第２のトランジスタと、
前記第１のモードにおいて、前記第１および第２のトランジスタのゲート電極に前記基準電流によって決定される電圧をそれぞれ保持するように接続される第１および第２の容量素子とを含む、画像表示装置。
【請求項９】
各前記ｋ個の電流駆動部は、前記第１および第２のトランジスタのゲート電極と第１の電極との間にそれぞれ配され、前記第１のモードにおいてオンする一方で、前記第２のモードにおいてオフする第１および第２のスイッチ素子をさらに含む、請求項８に記載の画像表示装置。
【請求項１０】
前記第１のトランジスタは、前記第１の電極が前記ノードに接続され、第２の電極が前記第２のトランジスタの前記第１の電極に接続され、
前記第２のトランジスタは、前記第２の電極が前記第２の電圧源と相補の電位を有する第１の電圧源に接続され、
前記第１および第２のスイッチ素子は、前記第１のモードにおいて、前記第１のスイッチ素子が、前記第２のスイッチ素子よりも少なくとも先にオフするように設定される、請求項９に記載の画像表示装置。
【手続補正２】
【補正対象書類名】明細書
【補正対象項目名】００２７
【補正方法】変更
【補正の内容】
【００２７】
この発明に従う電流源回路は、基準電流に応じた電流を回路網に供給する電流源回路であって、第１のモードにおいて、基準電流源と電気的に結合されて前記基準電流を流入または流出し、前記第１のモードの後に実行される第２のモードにおいて、前記基準電流源と電気的に分離されるとともに、前記回路網と電気的に結合されるノードと、前記ノードと第２の電圧源との間に接続され、前記第１のモードにおいて、前記ノードに流入または流出される前記基準電流が通過するとともに、前記第２のモードにおいて、通過した前記基準電流に応じた電流を前記回路網に駆動する電流駆動部とを備える。前記電流駆動部は、前記ノードと前記第２の電圧源との間に直列に接続され、前記第１のモードにおいて、前記基準電流が通過する第１および第２のトランジスタと、前記第１のモードにおいて、前記第１および第２のトランジスタのゲート電極に前記基準電流によって決定される電圧をそれぞれ保持するように接続される第１および第２の容量素子とを含む。